(57)【要約】【課題】認証機能を有する電子機器において、ＣＰＵの電源をオフにした省電力モードでも、認証入力をトリガとする省電力モードからの復帰を可能にする。【解決手段】省電力モード時、網掛けを付した部分は電源オフになっている。個人認証デバイス12内のマイコン13は、入力部14からの入力データを監視し、認証データあり（ユーザーからのアクセスあり）と判断した場合は、省電力モード復帰信号を出力する。マイコン13から出力された省電力モード復帰信号は、パワーセーブＩ／Ｆ26に入力され、電源部16の各電源系をオンに復帰させるシーケンスがスタートする。【選択図】  図１
2009288971.tif 000002
【特許請求の範囲】
【請求項１】
ＣＰＵと、電源部と、前記電源部から前記ＣＰＵに対する電力供給のオン／オフ制御を行う電源制御手段と、認証データを入力するための認証デバイスとを備え、前記ＣＰＵが、前記認証デバイスから入力された認証データを処理する機能を有する電子機器であって、
前記認証デバイスは、認証データの入力に基づいて、前記電源制御手段に対して復帰信号を出力し、前記電源制御手段は、省電力モード状態で前記ＣＰＵに対する電力供給をオフに制御しているときに、前記認証デバイスから出力された復帰信号の入力に基づいて、前記ＣＰＵに対する電力供給をオンに復帰させることを特徴とする電子機器。
【請求項２】
請求項１に記載された電子機器において、
前記認証デバイスは、入力された認証データを認証する機能を有するとともに、入力された認証データを認証できたときのみ、前記復帰信号を出力することを特徴とする電子機器。
【請求項３】
請求項１に記載された電子機器において、
前記電源制御手段は、省電力モード状態で前記ＣＰＵに対する電力供給をオフに制御しているときに、所定のキーの操作に応じて、前記ＣＰＵに対する電力供給をオンに復帰させることを特徴とする電子機器。
【請求項４】
請求項１に記載された電子機器において、
前記認証デバイスから入力された認証データを処理する機能を有するコントローラを前記ＣＰＵとは別に備えるとともに、前記電源制御手段は、省電力モード状態で前記ＣＰＵに対する電力供給をオフに制御しているとき、前記コントローラに対する電力供給をオンに制御することを特徴とする電子機器。
【請求項５】
請求項４に記載された電子機器において、
前記省電力モード状態で前記コントローラがアクセス可能な、前記認証デバイスの認証ＩＤ毎の使用条件情報が記憶される不揮発性メモリを有することを特徴とする電子機器。
【請求項６】
請求項４に記載された電子機器において、
前記コントローラと前記認証デバイスとを接続するためのインタフェースと、前記省電力モード状態のとき、前記インタフェースの状態を、サスペンド状態と、その状態からの復帰状態とを所定時間毎に繰り返させる制御手段とを有することを特徴とする電子機器。
【請求項７】
ＣＰＵと、電源部と、前記電源部から前記ＣＰＵに対する電力供給のオン／オフ制御を行う電源制御手段と、認証データを入力するための認証デバイスとを備え、前記ＣＰＵが、前記認証デバイスから入力された認証データを処理する機能を有する電子機器の制御方法であって、
前記ＣＰＵに対する電力供給が電源制御手段によりオフに制御されている省電力モード状態で認証デバイスに対する認証データの入力の有無を検知する工程と、前記認証データの入力が検知されたとき、前記認証デバイスが、前記電源制御手段に対し復帰信号を出力する工程と、前記電源制御手段は、その復帰信号の入力に基づいて、前記ＣＰＵに対する電力供給をオフからオンに復帰させる工程とを有することを特徴とする電子機器の制御方法。
【発明の詳細な説明】
【技術分野】
【０００１】
本発明は、認証機能を有する電子機器及びその制御方法に関し、さらに詳しくは、ＣＰＵの電源をオフにした省電力モードでも、認証入力をトリガとする省電力モードからの復帰を可能にした電子機器及びその制御方法に関する。
【背景技術】
【０００２】
近年、セキュリティ強化、ＴＣＯ（Total Cost of Ownership）削減等の背景から、ＬＰ（レーザプリンタ）やＭＦＰ（マルチファンクションプリンタ）への、個人認証機能の搭載が増加している。特にＩＣカードによるソリューションは、各メーカーが提供しており、人体認証システムを提供するケースも出てきている。このような個人認証機能を搭載したＬＰやＭＦＰでは、現状、コントローラからＵＳＢインタフェース（以下、この明細書では、インタフェースをＩ／Ｆと言う）経由で、ＩＣカードリーダなどの認証デバイスに接続するケースが多い。
【０００３】
ところで、ＬＰやＭＦＰでは、省エネルギー（以下、省エネと言う）の観点から、ユーザーによる操作や外部装置からのプリントデータの入力が一定時間行われなかった場合、省電力モードへ移行することが一般的であるが、個人認証機能を搭載したＬＰやＭＦＰでは、迅速な個人認証を実現することや、ユーザーアクセス時の省電力モードから通常モードへの復帰を実現するため、少し消費電力が高めの省電力モードまでしか移行させていない。
【０００４】
文献に記載されたものではないが、図８及び９に画像処理装置の省電力モード時の電源供給状態を示す。ここで、図８は、少し消費電力が高めの省電力モード（以下、第１の省電力モードと言う）を示し、図９は、消費電力が低い省電力モード（以下、第２の省電力モードと言う）を示す。これらの図において、網掛けは電源がオンになっている部分を示す。一般的には図８に示されている第１の省電力モードの状態を取る。
【０００５】
図８に示すように、コントローラ201はＣＰＵ201及びＡＳＩＣ203を搭載している。ＡＳＩＣ203は、ＵＳＢ_Ｉ／Ｆ221、外部Ｉ／Ｆ（ネットワークＩ／Ｆ222、ＵＳＢ_Ｉ／Ｆ223）、パネルＩ／Ｆ224、エンジンＩ／Ｆ225、パワーセーブＩ／Ｆ226を備えている。
【０００６】
第１の省電力モードでは、パワーセーブＩ／Ｆ226が電源部216に制御信号を出力し、エンジンコントローラ210、画像読取・形成部215などの電源系をオフにして、低電力化を実現する。省電力モードから通常モードへの復帰は、操作パネル204上の電源キーＳＷ（スイッチ）211の操作、又は外部Ｉ／Ｆからのデータ受信をトリガに、コントローラ201から電源部216へ電源オンの指示を行うことで実行する。個人認証デバイス212は、ＡＳＩＣ203上のＵＳＢ_Ｉ／Ｆ221を介して、常にコントローラ201にアクセス可能な状態である。
【０００７】
近年は、さらなる低電力化を狙って、第２の省電力モードの状態を取る。図９に示すように、コントローラ201は、ＡＳＩＣ203のみ電源オンとし、省電力モードからの復帰トリガとなる外部Ｉ／Ｆ（ネットワークＩ／Ｆ222、ＵＳＢ_Ｉ／Ｆ223）、及びパワーセーブＩ／Ｆ226のみを動作させる。外部Ｉ／Ｆからのプリントデータについては、ＵＳＢ_Ｉ／Ｆ223の場合、ＵＳＢケーブルが接続されたことを検知することで省電力モードから復帰し、プリントデータを受け取る。また、ネットワークＩ／Ｆ222の場合、自機へのパケットに反応し、省電力モードから復帰して、プリントデータを受け取る。ＵＳＢケーブルが接続されている状態では、第１の省電力モードの状態を保持する場合もある。ＵＳＢ_Ｉ／Ｆ223及びネットワークＩ／Ｆ222ともに、省電力モードからの復帰からＣＰＵ202がプリントデータを受け付けるまで、ＡＳＩＣ203等にプリントデータを一時的にバッファリングする。
【０００８】
エンジンコントローラ210、及び画像読取・形成部215については、第１の省電力モードの場合と同様、パワーセーブＩ／Ｆ226により、電源部216の電源系がオフに制御される。また、省電力モード時も電源オン状態の電源系の供給を受けるコントローラ201も、内部で不要なデバイス（ＣＰＵ202など）への電力供給をオフにする。
【０００９】
個人認証デバイス212は、電源オフ又はＡＳＩＣ203との通信が遮断された状態となってしまう。そのため、個人認証デバイス212のＵＳＢ_Ｉ／Ｆ221に対する接続時は、外部Ｉ／ＦのＵＳＢ_Ｉ／Ｆ223に対するＵＳＢケーブルの接続時と同様、第１の省電力モードの状態までしか移行しない。つまり、個人認証デバイス212の接続時は、第１の省電力モードよりも消費電力の少ない第２の省電力モードに移行しない。
【００１０】
また、第２の省電力モードの状態では、ユーザーが個人認証デバイス212でアクセスしようとしても、第２の省電力モードから復帰できないため、アクセスできない。従って、省電力モードでの個人認証デバイス212によるアクセスを可能にするには、第1の省電力モードで待機せざるを得ないため、省電力効果が十分でない。
【００１１】
また、ＩＣカードリーダからなる個人認証デバイスによる省電力モードからの復帰を行う電子機器がある（特許文献１参照）。図１０は、この電子機器の電源供給状態を示すブロック図である。
【００１２】
この電子機器は、ＣＰＵ301、省エネ制御回路302、システム電源動作ブロック303、第１のＳＷ304、第２のＳＷ305、及びカードＩ／Ｆ回路306を備えている。通常モードでは、全ての回路に電源から電力が供給される。省電力モードでは、ＣＰＵ301及び省エネ制御回路302には電力が供給されるが、システム電源動作ブロック303については、第１のＳＷ304により、電源からの電力供給がオフされる。また、カードＩ／Ｆ回路306については、第１のＳＷ305により、非接触ＩＣカード307のデータが受信できる範囲でオン／オフを繰り返す。このようにして、省電力化を実現している。ここで、第１のＳＷ304、第２のＳＷ305のオン、オフは、省エネ制御回路302がＣＰＵ301の指示に従って実行する。
【００１３】
また、省電力モードからの復帰制御は、カードＩ／Ｆ回路306が非接触ＩＣカード307からのデータを受信し、そのデータを解析したＣＰＵ301が省電力モードからの復帰が必要と判断したときに、省エネ制御回路302に指示し、第１のＳＷ304及び第２のＳＷ305のオン／オフを制御することにより実行する。
【００１４】
しかしながら、この電子機器の省電力モードでは、ＣＰＵ301をオンに維持しているので、この省電力モードは、図９の第２の省電力モードに相当するものではなく、ＣＰＵ301が動作可能な図8の第１の省電力モードの状態に、カードＩ／Ｆ回路306の電源のオン／オフ制御を付加した程度の低電力化しか達成できない。
【００１５】
このように、従来の画像処理装置や電子機器では、コントローラのＣＰＵが認証デバイスを制御するため、コントローラのＣＰＵの電源をオフにすることができず、十分な省電力効果を得ることができないという問題がある。また、コントローラのＣＰＵがオフになる省電力モードに移行すると、認証入力をトリガとする省電力モードからの復帰ができないという問題がある。
【特許文献１】特開２００３−１９５９８６号公報
【発明の開示】
【発明が解決しようとする課題】
【００１６】
本発明は、このような問題を解決するためになされたもので、その目的は、認証機能を有する電子機器において、認証処理を行うＣＰＵの電源をオフにした省電力モードでも、認証入力をトリガとする省電力モードからの復帰を可能にすることである。
【課題を解決するための手段】
【００１７】
本発明は、ＣＰＵと、電源部と、前記電源部から前記ＣＰＵに対する電力供給のオン／オフ制御を行う電源制御手段と、認証データを入力するための認証デバイスとを備え、前記ＣＰＵが、前記認証デバイスから入力された認証データを処理する機能を有する電子機器であって、前記認証デバイスは、認証データの入力に基づいて、前記電源制御手段に対して復帰信号を出力し、前記電源制御手段は、省電力モード状態で前記ＣＰＵに対する電力供給をオフに制御しているときに、前記認証デバイスから出力された復帰信号の入力に基づいて、前記ＣＰＵに対する電力供給をオンに復帰させることを特徴とする電子機器である。
また、本発明は、ＣＰＵと、電源部と、前記電源部から前記ＣＰＵに対する電力供給のオン／オフ制御を行う電源制御手段と、認証データを入力するための認証デバイスとを備え、前記ＣＰＵが、前記認証デバイスから入力された認証データを処理する機能を有する電子機器の制御方法であって、前記ＣＰＵに対する電力供給が電源制御手段によりオフに制御されている省電力モード状態で認証デバイスに対する認証データの入力の有無を検知する工程と、前記認証データの入力が検知されたとき、前記認証デバイスが、前記電源制御手段に対し復帰信号を出力する工程と、前記電源制御手段は、その復帰信号の入力に基づいて、前記ＣＰＵに対する電力供給をオフからオンに復帰させる工程とを有することを特徴とする電子機器の制御方法である。
【００１８】
〔作用〕
本発明によれば、認証処理機能を有するＣＰＵに対する電力供給が電源制御手段によりオフに制御されている省電力モード状態で、認証デバイスに認証データが入力されたとき、認証デバイスが、電源制御手段に対し復帰信号を出力し、電源制御手段は、その復帰信号の入力に基づいて、ＣＰＵに対する電力供給をオフからオンに復帰させる。
【発明の効果】
【００１９】
本発明によれば、認証機能を有する電子機器において、認証処理を行うＣＰＵの電源をオフにした省電力モードでも、認証入力をトリガとする省電力モードからの復帰が可能になる。
【発明を実施するための最良の形態】
【００２０】
以下、本発明の実施形態について図面を参照しながら説明する。
〔第１の実施形態〕
図１は本発明の第１の実施形態の電子機器である画像処理装置のブロック図である。この図において、網掛けを付した部分は、省電力モード時に電源がオフになる部分である。
【００２１】
この画像処理装置は、コントローラ１、操作パネル４、エンジンコントローラ10、画像読取・形成部15、電源部16、及び個人認証デバイス12を有する。
【００２２】
コントローラ１は、ＣＰＵ２と、ＡＳＩＣ３からなり、ＡＳＩＣ３は、個人認証デバイス12対するＩ／ＦであるＵＳＢ_Ｉ／Ｆ21、プリントデータ等を受信する外部Ｉ／ＦであるネットワークＩ／Ｆ22及びＵＳＢ_Ｉ／Ｆ23、操作パネル４に対するＩ／ＦであるパネルＩ／Ｆ24、エンジンコントローラ10に対するＩ／ＦであるエンジンＩ／Ｆ25、及びパワーセーブＩ／Ｆ26を内蔵する。
【００２３】
個人認証デバイス12は、ＩＣカードリーダ、指紋認証装置等であり、ユーザー操作の入力部14と、マイクロコンピュータ（以下、マイコンと言う）13とを内蔵する。ユーザー入力部14は、例えば、非接触ＩＣカードリーダであれば受信部に相当し、指紋認証装置であればセンサに相当する。マイコン13は、ＡＳＩＣ３のＵＳＢ_Ｉ／Ｆ21に接続される。また、マイコン13は、パワーセーブＩ／Ｆ26にもケーブルにより接続される。
【００２４】
電源部16は、省電力モード時もオン状態となる電源系をコントローラ１に、省電力モード時にオフ状態となる電源系をエンジンコントローラ10及び画像読取・形成部15に、それぞれ供給する。コントローラ１は、ＡＳＩＣ３のみ電源オンとし、省電力モードからの復帰トリガとなる外部Ｉ／Ｆ、及びパワーセーブＩ／Ｆ26のみ動作させる。省電力モード時の電源オフは、パワーセーブＩ／Ｆ26より指示を受ける。操作パネル４に設けられている電源キーＳＷ11の操作により、省電力モードからの復帰が可能である。
【００２５】
図２は、図１の画像処理装置が個人認証装置12からの認証入力をトリガとして省電力モードから通常モードへ復帰するときの処理を示すフローチャートである。
ユーザーが認証操作として、例えばＩＣカードをかざすことにより、個人認証デバイス12は認証データを取得する。個人認証デバイス12内のマイコン13は、入力部14からの入力データを監視し（ステップＳ１）、ユーザーからのアクセス（認証データ）ありと判断した場合は（Ｓ１:YES）、省電力復帰信号を生成し、出力する（ステップＳ２）。マイコン１３から出力された省電力モード復帰信号は、パワーセーブＩ／Ｆ26に入力され、パワーセーブＩ／Ｆ26から、電源部16の各電源系をオンに復帰させるシーケンスを開始する（ステップＳ３）。これにより、図１の網掛けが付されている部分の電源がオンになるため、マイコン13はＵＳＢ_Ｉ／Ｆ21と通信可能となり、入力部14から入力された認証データがＵＳＢ_Ｉ／Ｆ21を通してＣＰＵ２へ送られる。
【００２６】
ＣＰＵ２は、認証データを取得し（ステップＳ４）、そのＩＤが認証か非認証かを判断する（ステップＳ５）。そして、認証であれば（ステップＳ５：YES）、そのまま通常モードを維持し（ステップＳ６）、非認証であれば（ステップＳ５：NO）、非認証であることをユーザーに操作パネル４にて通知するとともに、省電力モードへの移行をパワーセーブＩ／Ｆ26に指示する（ステップＳ７）。
【００２７】
このように、個人認証デバイス12内の入力部14から認証データが入力されたことをトリガとして、画像処理装置を省電力モードから通常モードに復帰させるための省電力モード復帰信号をマイコン13が生成し、パワーセーブＩ／Ｆ26が復帰信号の受信に応じて、省電力モードから通常モードに復帰させためのシーケンスを開始するので、認証入力をトリガとする省電力モードからの復帰が可能になる。
【００２８】
図３は、個人認証デバイス12内のマイコン13に認証機能を持たせた場合に認証入力をトリガとして、省電力モードから通常モードへ復帰させるときの処理を示すフローチャートである。
【００２９】
個人認証デバイス12内のマイコン13は、入力部14からの入力データを監視し（ステップＳ11）、ユーザーからのアクセス（認証データ）ありと判断した場合は、そのＩＤが認証か非認証かを判断する（ステップＳ12）。そして、非認証であれば（ステップＳ12：NO）、そのまま省電力モードを維持し、認証であれば（ステップＳ12：YES）、省電力モード復帰信号を生成し、出力する（ステップＳ13）。マイコン13から出力された省電力モード復帰信号は、パワーセーブＩ／Ｆ26に入力され、パワーセーブＩ／Ｆ26により、電源部16の各電源系をオンに復帰させるシーケンスが開始される（ステップＳ14）。
【００３０】
この図の処理によれば、図２の処理と比べて、認証入力をトリガとする省電力モードからの復帰⇒ＣＰＵによる認証判断⇒非認証⇒省電力モードへ戻るという過程の余分な消費電力を低減することができる。
【００３１】
ところで、図３に示すフローにおいて、非認証である場合（Ｓ12:NO）、Ｓ12:NO→Ｓ１１:YESのループに留まり、省電力モードから抜けられない状態となる。誤認証操作の場合は問題ないが、例えば、ＩＣカードを使用していて、本来使用できるＩＤを保存しているＩＣカードが、内部の故障等により、正しいＩＤを送信できないケースもあり得る。このような場合は、省電力モードから復帰し、その状況をユーザーに通知することが望ましい。
【００３２】
図４は、これを実現した処理であり、操作パネル４に設けられている電源キーＳＷ１１の操作により、省電力モードから復帰させるとともに、その状況をユーザーに通知する処理を図３に追加した処理のフローチャートである。
【００３３】
この図のＳ21〜Ｓ24は、図３のＳ11〜Ｓ14に対応する。Ｓ25〜Ｓ28が追加した処理である。前述したように、図３では、非認証の場合、省電力モードから抜けられない状態となる。これに対し、本実施形態では、非認証の場合（Ｓ22：NO）、パワーセーブＩ／Ｆ26は、電源キーＳＷ11の押下を監視し（ステップＳ25）、押下されていない場合はステップＳ21に戻るが、押下されていた場合（Ｓ25：YES）、電源部16の各電源系をオンに復帰させるシーケンスを開始する（ステップＳ26）。
【００３４】
ステップＳ26の実行により、図１の網掛けが付されている部分に対する電力供給がオンになるため、マイコン13はＵＳＢ_Ｉ／Ｆ21と通信可能となり、入力部14から入力された認証データがＵＳＢ_Ｉ／Ｆ21を通してＣＰＵ２に送られる。ＣＰＵ２は非認証である情報を取得する（ステップＳ27）。
【００３５】
次にＣＰＵ２は、非認証であることの表示、及び再度の認証操作又は別の認証操作を指示する表示を行うことをパネルＩ／Ｆ24を介して操作パネル４に指示し、操作パネル４がそれを表示する（ステップＳ28）。
【００３６】
図４の処理によれば、認証対象にもかかわらず、機器の故障（例えば、個人認証デバイス12の故障や、ＩＣカードの記憶内容の破損等）で、非認証と判断され、省電力モードからの復帰ができない場合でも、電源キーＳＷ11の操作で省電力モードから復帰し、ユーザーに状況を認識させることができる。
【００３７】
〔第２の実施形態〕
図５は、本発明の第２の実施形態の画像処理装置のブロック図である。この図において、網掛けを付した部分は、省電力モード時に電源がオフになっている部分である。
【００３８】
この画像処理装置は、コントローラ101、操作パネル４、エンジンコントローラ10、及び個人認証デバイス12を備えている。画像読取・形成部及び電源部は図示を省略した。
【００３９】
コントローラ101は、ＣＰＵ20、ＡＳＩＣ30、及び省エネ制御コントローラ40を有する。ＡＳＩＣ30は、個人認証デバイス12に対するＩ／ＦであるＵＳＢ_Ｉ／Ｆ31、操作パネル４に対するＩ／ＦであるパネルＩ／Ｆ32、エンジンコントローラ10に対するＩ／ＦであるエンジンＩ／Ｆ33を有する。省エネ制御コントローラ40は、個人認証デバイス12に対するＩ／ＦであるＵＳＢ_Ｉ／Ｆ41、外部Ｉ／ＦであるネットワークＩ／Ｆ42及びＵＳＢ_Ｉ／Ｆ43、並びにパワーセーブＩ／Ｆ44を有する。
【００４０】
図に網掛けで示すように、省電力モード時は、省エネ制御コントローラ40以外は基本的に電源オフとする。この状態で、個人認証デバイス12の入力部14から認証データが入力されると、マイコン13は、認証データをＵＳＢ_Ｉ／Ｆ41に出力する。この認証データは、ＵＳＢ_Ｉ／Ｆ41からパワーセーブＩ／Ｆ44に送られる。パワーセーブＩ／Ｆ44は、認証データを受け取ると、電源部の各電源系をオンに復帰させるシーケンスを開始する。
【００４１】
これにより、図５の網掛けが付されている部分に対する電力供給がオンになるため、ＵＳＢ_Ｉ／Ｆ41はＣＰＵ20と通信可能となり、入力部14から入力された認証データがＵＳＢ_Ｉ／Ｆ41を通してＣＰＵ20に送られ、ＣＰＵ20が認証を行う。
【００４２】
本実施形態によれば、省電力モード制御用の低消費電力の省電力制御コントローラ40（サブＣＰＵに相当）を搭載し、ＣＰＵ２（メインＣＰＵ）を電源オフ又は非動作化するシステムにおいても、サブＣＰＵに相当する省電力制御コントローラ40で個人認証デバイス12から認証データを収集でき、認証操作による省電力モードからの復帰が可能となる。
【００４３】
〔第３の実施形態〕
図６は、本発明の第３の実施形態の画像処理装置のブロック図である。この図において、図５と同一のブロックには図５と同一の参照符号を付した。
【００４４】
上述した第１、第２の実施形態では、認証データの入力をトリガとして、省電力モードからの復帰は出来るが、復帰シーケンスは、認証のＩＤ情報と使用制限・条件データの参照・確定までであり、あるパターンでしか復帰できない。即ち、省電力モードからの復帰後、全ての電源をオンにしてから、使用制限・条件確定後、例えばプロッタ部（画像形成部）を使用制限されている使用者のため、定着手段オフするような動作に移行する。このため、省電力モードからの復帰シーケンスで、無駄な電力を消費しているという欠点がある。
【００４５】
そこで、本実施形態では、予め個人認証ＩＤ毎の使用条件・制限データを不揮発性メモリに記憶しておき、認証データが入力されたとき、その不揮発性メモリから、認証データ中のＩＤ情報に対応する使用制限・条件データを読み出すことで、無駄な電力を消費することなく、使用条件等に合った状態に素早く立ち上げることを可能にする。
【００４６】
本実施形態の画像処理装置は、図５の画像処理装置の省エネ制御コントローラ40に不揮発性メモリ18を接続した構成を有する。不揮発性メモリ18には、個人認証ＩＤ毎の使用条件・制限データが記憶されている。
【００４７】
本実施形態によれば、例えば、ある資料をスキャナで読み取り、フォルダに保存する作業及び使用制限を持つユーザーからの個人認証に対して、省エネ制御コントローラ40は、個人認証デバイス12から受け取るＩＤ情報から、そのユーザーが、スキャナを使用することを不揮発性メモリ18のデータをリードすることにより把握し、省電力モードからの復帰シーケンスを、画像形成部、特に定着手段のオン制御を行わないパターンで実行することができる。
【００４８】
〔第４の実施形態〕
図７は、本発明の第７の実施態の画像処理装置のＵＳＢ_Ｉ／Ｆのデータ転送及び消費電力を示すタイミングチャートである。この画像処理装置のブロック図は図５と同じであるから、以下の動作説明では図５を参照する。
【００４９】
個人認証デバイス12は、省エネ制御コントローラ40のＵＳＢ_Ｉ／Ｆ41に接続される。省エネ制御コントローラ40は、ＵＳＢ_Ｉ／Ｆ41内のデバイス、例えばＰＨＹ（物理層）チップやハブに対して、サスペンドモードへの移行を指示する。これにより、サスペンド状態の消費電力Ｐ1まで低減される。一定時間経過後、省エネ制御コントローラ40は、ＵＳＢ_Ｉ／Ｆ41のデバイスをサスペンドモードから通常モードに復帰させ、個人認証デバイス12に、認証操作の有無をチェックさせる。
【００５０】
個人認証デバイス12内のマイコン13は、認証操作の有無、即ち入力部14からのデータ入力の有無を監視し、その結果を示すデータをＵＳＢ_Ｉ／Ｆ41へ出力し、このデータはＵＳＢ_Ｉ／Ｆ41からパワーセーブＩ／Ｆ44に送られる。
【００５１】
パワーセーブＩ／Ｆ44は、受け取ったデータが「認証操作あり」の場合、省電力モードからの復帰準備（復帰シーケンスの開始）を行い、「認証操作なし」の場合、ＵＳＢ_Ｉ／Ｆ41内のデバイスを再びサスペンド状態に移行させる。
【００５２】
本実施形態によれば、省電力制御コントローラ40と個人認証デバイス12との接続をＵＳＢ_Ｉ／Ｆ41とし、省電力モード時に、ＵＳＢ_Ｉ／Ｆ41を一定期間毎にサスペンド状態と、その状態からの復帰とを繰り返すことにより、ＵＳＢ_Ｉ／Ｆ41からの復帰用の専用線を追加せずに、省電力モード時の消費電力の低減が図れる。
【図面の簡単な説明】
【００５３】
【図１】本発明の第１の実施形態の電子機器である画像処理装置のブロック図である。
【図２】図１の画像処理装置が認証入力をトリガとして省電力モードから通常モードへ復帰するときの処理を示すフローチャートである。
【図３】図１の個人認証デバイス内のマイコンに認証機能を持たせた場合に認証入力をトリガとして、省電力モードから通常モードへ復帰するときの処理を示すフローチャートである。
【図４】操作パネルに設けられている電源キーＳＷの操作により、省電力モードから復帰させるとともに、その状況をユーザーに通知する処理を図３に追加した処理のフローチャートである。
【図５】本発明の第２の実施形態の画像処理装置のブロック図である。
【図６】本発明の第３の実施形態の画像処理装置のブロック図である。
【図７】本発明の第７の実施態の画像処理装置のＵＳＢ_Ｉ／Ｆのデータ転送及び消費電力を示すタイミングチャートである。
【図８】従来の画像処理装置の第１の省電力モードを示す図である。
【図９】従来の画像処理装置の第２の省電力モードを示す図である。
【図１０】ＩＣカードからなる個人認証デバイスによる省電力モードからの復帰を行う従来の電子機器の電源供給状態を示すブロック図である。
【符号の説明】
【００５４】
１，101・・・コントローラ、２，20・・・ＣＰＵ、３，30・・・ＡＳＩＣ、４・・・操作パネル、11・・・電源キーＳＷ、12・・・個人認証デバイス、16・・・電源部、18・・・不揮発性メモリ、26，44・・・パワーセーブＩ／Ｆ。
【図１】
2009288971.tif 000003
【図２】
2009288971.tif 000004
【図３】
2009288971.tif 000005
【図４】
2009288971.tif 000006
【図５】
2009288971.tif 000007
【図６】
2009288971.tif 000008
【図７】
2009288971.tif 000009
【図８】
2009288971.tif 000010
【図９】
2009288971.tif 000011
【図１０】
2009288971.tif 000012